【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
スケジューリングエンティティにおけるワイヤレス通信の方法であって、
第1のヌメロロジーを利用して、第1のユーザ機器(UE)との通信を確立するステップと、
第2のヌメロロジーを利用して、第2のUEとの通信を確立するステップであって、前記第2のヌメロロジーが、前記第2のヌメロロジーのサブキャリア間隔が前記第1のヌメロロジーのサブキャリア間隔の正の整数の倍数であるように、前記第1のヌメロロジーからスケーリングされる、ステップと、
前記第1のヌメロロジーの各シンボルのシンボル長が、前記第2のヌメロロジーの2つ以上の対応するシンボルのシンボル長の和に等しくなるように、前記第1のヌメロロジーおよび前記第2のヌメロロジーを備えるスロットを利用して、前記第1のUEおよび前記第2のUEと通信するステップと
を含み、
前記第1のヌメロロジーまたは前記第2のヌメロロジーのシンボルが、同じヌメロロジーの他のシンボルのシンボル長とは異なるシンボル長を有する、方法。
【請求項２】
前記第1のヌメロロジーの各シンボルのシンボル境界が、前記第2のヌメロロジーの2つ以上の対応するシンボルのシンボル境界に整合される、請求項1に記載の方法。
【請求項３】
前記他のシンボルが均一の長さを有する、請求項1に記載の方法。
【請求項４】
前記第1のヌメロロジーまたは前記第2のヌメロロジーの2つ以上のシンボルが、同じヌメロロジーの他のシンボルのシンボル長とは異なる、同じシンボル長を有する、請求項1に記載の方法。
【請求項５】
前記他のシンボルが均一の長さを有する、請求項4に記載の方法。
【請求項６】
前記2つ以上のシンボルが前記スロットの最初または最後に位置する、請求項4に記載の方法。
【請求項７】
前記第1のヌメロロジーまたは前記第2のヌメロロジーの1つまたは複数のシンボルが、同じヌメロロジーの他のシンボルのシンボル長よりも長いシンボル長を有する、請求項1に記載の方法。
【請求項８】
前記第1のヌメロロジーまたは前記第2のヌメロロジーが、2つ以上の異なるサイクリックプレフィックス持続時間を備える、請求項1に記載の方法。
【請求項９】
前記第1のヌメロロジーのシンボルの間のサイクリックプレフィックス持続時間の差が、前記第2のヌメロロジーのシンボルの間のサイクリックプレフィックス持続時間の差と同じである、請求項1に記載の方法。
【請求項１０】
時分割多重化または周波数分割多重化によって、前記第1のヌメロロジーおよび前記第2のヌメロロジーを多重化するステップをさらに含む、請求項1に記載の方法。
【請求項１１】
前記第1のヌメロロジーまたは前記第2のヌメロロジーの1つのシンボルが、前記スロット内の同じヌメロロジーのすべての他のシンボルとは異なるシンボル長を有する、請求項1に記載の方法。
【請求項１２】
ワイヤレス通信のためのスケジューリングエンティティであって、
第1のヌメロロジーと第2のヌメロロジーとを利用するワイヤレス通信のために構成された通信インターフェースと、
実行可能コードが記憶されたメモリと、
前記通信インターフェースおよび前記メモリに動作可能に結合されたプロセッサと
を備え、
前記プロセッサが、前記実行可能コードによって、
前記第1のヌメロロジーを利用して、第1のユーザ機器(UE)との通信を確立すること、
前記第2のヌメロロジーを利用して、第2のUEとの通信を確立することであって、前記第2のヌメロロジーが、前記第2のヌメロロジーのサブキャリア間隔が前記第1のヌメロロジーのサブキャリア間隔の正の整数の倍数であるように、前記第1のヌメロロジーからスケーリングされる、こと、ならびに
前記第1のヌメロロジーの各シンボルのシンボル長が、前記第2のヌメロロジーの2つ以上の対応するシンボルのシンボル長の和に等しくなるように、前記第1のヌメロロジーおよび前記第2のヌメロロジーを備えるスロットを利用して、前記第1のUEおよび前記第2のUEと通信すること
を行うように構成され、
前記第1のヌメロロジーまたは前記第2のヌメロロジーのシンボルが、同じヌメロロジーの他のシンボルのシンボル長とは異なるシンボル長を有する、スケジューリングエンティティ。
【請求項１３】
前記第1のヌメロロジーの各シンボルのシンボル境界が、前記第2のヌメロロジーの2つ以上の対応するシンボルのシンボル境界に整合される、請求項12に記載のスケジューリングエンティティ。
【請求項１４】
前記他のシンボルが均一の長さを有する、請求項12に記載のスケジューリングエンティティ。
【請求項１５】
前記第1のヌメロロジーまたは前記第2のヌメロロジーの2つ以上のシンボルが、同じヌメロロジーの他のシンボルのシンボル長とは異なる、同じシンボル長を有する、請求項12に記載のスケジューリングエンティティ。
【請求項１６】
前記他のシンボルが均一の長さを有する、請求項15に記載のスケジューリングエンティティ。
【請求項１７】
前記2つ以上のシンボルが前記スロットの最初または最後に位置する、請求項15に記載のスケジューリングエンティティ。
【請求項１８】
前記第1のヌメロロジーまたは前記第2のヌメロロジーの1つまたは複数のシンボルが、同じヌメロロジーの他のシンボルのシンボル長よりも長いシンボル長を有する、請求項12に記載のスケジューリングエンティティ。
【請求項１９】
前記第1のヌメロロジーまたは前記第2のヌメロロジーが、2つ以上の異なるサイクリックプレフィックス持続時間を備える、請求項12に記載のスケジューリングエンティティ。
【請求項２０】
前記第1のヌメロロジーのシンボルの間のサイクリックプレフィックス持続時間の差が、前記第2のヌメロロジーのシンボルの間のサイクリックプレフィックス持続時間の差と同じである、請求項12に記載のスケジューリングエンティティ。
【請求項２１】
前記プロセッサが、
時分割多重化または周波数分割多重化によって、前記第1のヌメロロジーおよび前記第2のヌメロロジーを多重化すること
を行うようにさらに構成される、請求項12に記載のスケジューリングエンティティ。
【請求項２２】
前記第1のヌメロロジーまたは前記第2のヌメロロジーの1つのシンボルが、前記スロット内の同じヌメロロジーのすべての他のシンボルとは異なるシンボル長を有する、請求項12に記載のスケジューリングエンティティ。
【請求項２３】
ユーザ機器(UE)におけるワイヤレス通信の方法であって、
第1のサブキャリア間隔を有する第1のヌメロロジーを利用して、スケジューリングエンティティとの通信を確立するステップと、
前記第1のヌメロロジーを有するスロットを利用して、前記スケジューリングエンティティと通信するステップであって、前記スロットが、別のUEと通信するための第2のヌメロロジーをさらに含み、前記第2のヌメロロジーが、前記第2のヌメロロジーの第2のサブキャリア間隔が前記第1のヌメロロジーの前記第1のサブキャリア間隔の正の整数の倍数であるように、前記第1のヌメロロジーからスケーリングされ、前記第1のヌメロロジーの各シンボルのシンボル長が、前記第2のヌメロロジーの2つ以上の対応するシンボルのシンボル長の和に等しい、ステップと、
を含み、
前記第1のヌメロロジーまたは前記第2のヌメロロジーのシンボルが、同じヌメロロジーの他のシンボルのシンボル長とは異なるシンボル長を有する、方法。
【請求項２４】
前記第1のヌメロロジーの各シンボルのシンボル境界が、前記第2のヌメロロジーの2つ以上の対応するシンボルのシンボル境界に整合される、請求項23に記載の方法。
【請求項２５】
前記他のシンボルが均一の長さを有する、請求項23に記載の方法。
【請求項２６】
前記第1のヌメロロジーまたは前記第2のヌメロロジーの2つ以上のシンボルが、同じヌメロロジーの他のシンボルのシンボル長とは異なる、同じシンボル長を有する、請求項23に記載の方法。
【請求項２７】
前記他のシンボルが均一の長さを有する、請求項26に記載の方法。
【請求項２８】
前記2つ以上のシンボルが前記スロットの最初または最後に位置する、請求項26に記載の方法。
【請求項２９】
前記第1のヌメロロジーまたは前記第2のヌメロロジーの1つまたは複数のシンボルが、同じヌメロロジーの他のシンボルのシンボル長よりも長いシンボル長を有する、請求項23に記載の方法。
【請求項３０】
前記第1のヌメロロジーのシンボルの間のサイクリックプレフィックス持続時間の差が、前記第2のヌメロロジーのシンボルの間のサイクリックプレフィックス持続時間の差と同じである、請求項23に記載の方法。
【請求項３１】
前記第1のヌメロロジーまたは前記第2のヌメロロジーの1つのシンボルが、前記スロット内の同じヌメロロジーのすべての他のシンボルとは異なるシンボル長を有する、請求項23に記載の方法。
【請求項３２】
ワイヤレス通信のためのユーザ機器(UE)であって、
ワイヤレス通信のために構成された通信インターフェースと、
実行可能コードが記憶されたメモリと、
前記通信インターフェースおよび前記メモリに動作可能に結合されたプロセッサと
を備え、
前記プロセッサが、前記実行可能コードによって、
第1のサブキャリア間隔を有する第1のヌメロロジーを利用して、スケジューリングエンティティとの通信を確立すること、ならびに
前記第1のヌメロロジーを有するスロットを利用して、前記スケジューリングエンティティと通信することであって、前記スロットが、別のUEと通信するための第2のヌメロロジーをさらに含み、前記第2のヌメロロジーが、前記第2のヌメロロジーの第2のサブキャリア間隔が前記第1のヌメロロジーの前記第1のサブキャリア間隔の正の整数の倍数であるように、前記第1のヌメロロジーからスケーリングされ、前記第1のヌメロロジーの各シンボルのシンボル長が、前記第2のヌメロロジーの2つ以上の対応するシンボルのシンボル長の和に等しい、こと
を行うように構成され、
前記第1のヌメロロジーまたは前記第2のヌメロロジーのシンボルが、同じヌメロロジーの他のシンボルのシンボル長とは異なるシンボル長を有する、UE。
【請求項３３】
前記第1のヌメロロジーの各シンボルのシンボル境界が、前記第2のヌメロロジーの2つ以上の対応するシンボルのシンボル境界に整合される、請求項32に記載のUE。
【請求項３４】
前記他のシンボルが均一の長さを有する、請求項32に記載のUE。
【請求項３５】
前記第1のヌメロロジーまたは前記第2のヌメロロジーの2つ以上のシンボルが、同じヌメロロジーの他のシンボルのシンボル長とは異なる、同じシンボル長を有する、請求項32に記載のUE。
【請求項３６】
前記他のシンボルが均一の長さを有する、請求項35に記載のUE。
【請求項３７】
前記2つ以上のシンボルが前記スロットの最初または最後に位置する、請求項35に記載のUE。
【請求項３８】
前記第1のヌメロロジーまたは前記第2のヌメロロジーの1つまたは複数のシンボルが、同じヌメロロジーの他のシンボルのシンボル長よりも長いシンボル長を有する、請求項32に記載のUE。
【請求項３９】
前記第1のヌメロロジーのシンボルの間のサイクリックプレフィックス持続時間の差が、前記第2のヌメロロジーのシンボルの間のサイクリックプレフィックス持続時間の差と同じである、請求項32に記載のUE。
【請求項４０】
前記第1のヌメロロジーまたは前記第2のヌメロロジーの1つのシンボルが、前記スロット内の同じヌメロロジーのすべての他のシンボルとは異なるシンボル長を有する、請求項32に記載のUE。